(57)【要約】【課題】ケースの垂れ下がりを抑制できるとともに、簡単かつ小型化が可能なケースを提供することを目的とする。【解決手段】建物３の開口部１３の上方に設けられて前記開口部１３を開閉する開閉体（シャッターカーテン４）を収容する収容空間を備えた開閉体収容ケース２であって、前記収容空間に収容された前記開閉体の上部を覆う上板部を有したケースカバー２３と、一端側が前記開口部の上方に位置する取付部（躯体）に取付けられ、他端側が前記上板部の前方に近づく方向に延長して前記上板部の下面６０を支持することによって前記ケースカバーの垂れ下がりを抑制する垂れ下がり抑制手段２４とを備え、前記垂れ下がり抑制手段２４は、前記他端側が前記上板部の下面６０に押圧されて弾性変形した状態に設けられたことを特徴とする。【選択図】図２
2015048679.tif 000002
【特許請求の範囲】
【請求項１】
建物の開口部の上方に設けられて前記開口部を開閉する開閉体を収容する収容空間を備えた開閉体収容ケースであって、
前記収容空間に収容された前記開閉体の上部を覆う上板部を有したケースカバーと、
一端側が前記開口部の上方に位置する取付部に取付けられ、他端側が前記上板部の前方に近づく方向に延長して前記上板部の下面を支持することによって前記ケースカバーの垂れ下がりを抑制する垂れ下がり抑制手段とを備え、
前記垂れ下がり抑制手段は、前記他端側が前記上板部の下面に押圧されて弾性変形した状態に設けられたことを特徴とする開閉体収容ケース。
【請求項２】
前記垂れ下がり抑制手段は、一端側部材と、他端側部材と、これら一端側部材と他端側部材とを連結する連結手段とを備え、
前記一端側部材は、前記取付部に取付けられる取付部位と、当該取付部に取付けられた取付部位より前記上板部の前方に近づく方向に延長する他端側部材連結部とを備え、
前記他端側部材は、前記連結手段により前記一端側部材の前記他端側部材連結部と連結される一端側部材連結部と、当該一端側部材連結部より前記上板部の前方に近づく方向に延長して前記上板部の下面を支持するケースカバー支持部とを備えたことを特徴とする請求項１に記載の開閉体収容ケース。
【請求項３】
前記連結手段は、前記垂れ下がり抑制手段が前記取付部に取付けられた場合の前記取付部から前記他端側部材の他端までの長さを変更可能なように前記一端側部材の他端側部材連結部と前記他端側部材の一端側部材連結部とを連結する手段であることを特徴とする請求項２に記載の開閉体収容ケース。
【発明の詳細な説明】
【技術分野】
【０００１】
本発明は、建物の開口部を開閉する開閉装置の開閉体収容ケースに関し、特に開閉体収容ケースの垂れ下がり抑制手段を備えた開閉体収容ケースに関する。
【背景技術】
【０００２】
住宅、ビル、倉庫等の建物の出入り口等の開口部に設置される開閉装置としてのシャッター装置は、開閉体収容ケースとしてのシャッターケース（以下、ケースという）を備える。
当該ケースは、建物の開口部の上方に位置する躯体に取付けられ、前記開口部を開閉する開閉体としてのシャッターカーテンを巻き取るシャフトを回転可能に収容するとともに前記シャフトに巻き取られるシャッターカーテンを収容する収容空間を備える。
当該ケースとして、開口部の左右の端部の上方において躯体に取付けられるブラケットと呼ばれる左右の側板の間に複数の横桟を配置して各横桟の左右の両端をそれぞれ左右の側板に連結することでケースの骨組構成体（ケースの枠）を形成し、この各横桟の間を覆うようにケースカバーを取付けて構成されるケースが知られている。
当該ケースの場合、各横桟が左右の側板により支持された両持ち梁状態となるため、ケースの左右の長さが長くなるほどケースの左右間の中央部側が垂れ下がり易くなる。
そこで、当該ケースの左右間の中央部側の垂れ下がりを抑制するために、ケースの骨組構成体の上側において躯体側に設けられた後側横桟の左右間の中央部と躯体より離れた位置に設けられた前側横桟の左右間の中央部とを連結する補強材を設け、当該補強材とケースの骨組構成体の下側に設けられた横桟とを連結部材で連結した構成の垂れ下がり抑制手段を備えたケースが知られている（例えば特許文献１等参照）。
【先行技術文献】
【特許文献】
【０００３】
【特許文献１】特開２０１１−１３２７３６号公報
【発明の概要】
【発明が解決しようとする課題】
【０００４】
上述した従来のケースは、骨組構成体の上側の前後の各横桟に補強材を掛け渡すように取付けて、当該補強体と骨組構成体の下側の横桟とを連結部材で連結することで、ケースの骨組構成体を補強する垂れ下がり抑制手段を構成し、当該垂れ下がり抑制手段により、ケースの左右間の中央部側の垂れ下がりを抑制する構成である。
しかしながら、当該ケースの場合、骨組構成体の上側に設けられた補強体と骨組構成体の下側の横桟とを連結部材で連結する構成であり、シャフトに巻き取られたシャッターカーテンと前記連結部材とが接触しないようにするために、ケースが大型化してしまう懸念があった。
また、骨組構成体を構成する必要があるとともに、垂れ下がり抑制手段を構成する部品数が多くなるため、ケースの構成が複雑になる懸念があった。
本発明は、ケースの垂れ下がりを抑制できるとともに、簡単かつ小型化が可能なケースを提供することを目的とする。
【課題を解決するための手段】
【０００５】
本発明に係る開閉体収容ケースは、建物の開口部の上方に設けられて前記開口部を開閉する開閉体を収容する収容空間を備えた開閉体収容ケースであって、前記収容空間に収容された前記開閉体の上部を覆う上板部を有したケースカバーと、一端側が前記開口部の上方に位置する取付部に取付けられ、他端側が前記上板部の前方に近づく方向に延長して前記上板部の下面を支持することによって前記ケースカバーの垂れ下がりを抑制する垂れ下がり抑制手段とを備え、前記垂れ下がり抑制手段は、前記他端側が前記上板部の下面に押圧されて弾性変形した状態に設けられたことを特徴とする。
また、前記垂れ下がり抑制手段は、一端側部材と、他端側部材と、これら一端側部材と他端側部材とを連結する連結手段とを備え、前記一端側部材は、前記取付部に取付けられる取付部位と、当該取付部に取付けられた取付部位より前記上板部の前方に近づく方向に延長する他端側部材連結部とを備え、前記他端側部材は、前記連結手段により前記一端側部材の前記他端側部材連結部と連結される一端側部材連結部と、当該一端側部材連結部より前記上板部の前方に近づく方向に延長して前記上板部の下面を支持するケースカバー支持部とを備えたことを特徴とする。
さらに、前記連結手段は、前記垂れ下がり抑制手段が前記取付部に取付けられた場合の前記取付部から前記他端側部材の他端までの長さを変更可能なように前記一端側部材の他端側部材連結部と前記他端側部材の一端側部材連結部とを連結する手段であることを特徴とする。
【発明の効果】
【０００６】
本発明に係る開閉体収容ケースによれば、垂れ下がり抑制手段の他端側がケースカバーの上板部の下面に押圧されて弾性変形した状態に設けられてケースカバーの上板部の下面を支持することによって開閉体収容ケースの垂れ下がりを抑制する構成を備えたので、開閉体収容ケースが垂れ下がり抑制手段の他端側の弾性力によって常に上方に付勢された状態となる。従って、垂れ下がり抑制手段の他端側をケースカバーの上板部の下面に押圧されて弾性変形した状態とするという簡単な構成によってケースの垂れ下がりを抑制できるとともに、従来のような骨組構成体や骨組構成体の上下の横桟を連結する連結部材を設ける必要が無くなるので、ケースの簡素化、及び、ケースの小型化が図れるようになる。
また、前記垂れ下がり抑制手段は、一端側部材と、他端側部材と、これら一端側部材と他端側部材とを連結する連結手段とを備えたので、ケースカバーの荷重による応力が最も加わる部材である一端側部材を剛性の高い金属板を用いて形成し、弾性変形させる他端側部材を一端側部材よりも剛性の低い板厚の薄い金属板を用いて形成することが可能となるので、垂れ下がり抑制手段を一枚の板材で形成する場合と比べて省コスト化が図れ、また、ケースカバーの上板部の下面と接触する他端側部材を形成する板材の厚さをケースカバーの上板部を形成する板材の厚さにあわせることができ、他端側部材がケースカバーの上板部を押圧して上板部の上面が隆起するようなことを防止できるようになる。
また、垂れ下がり抑制手段が取付部に取付けられた場合の取付部から他端側部材の他端までの長さを変更可能な連結手段を備えたので、ケースカバーの大きさに対応して躯体から他端側部材の他端までの長さを変更できるようになり、１つの垂れ下がり抑制手段で、様々の大きさのケースの垂れ下がり抑制に対応可能となる。
【図面の簡単な説明】
【０００７】
【図１】シャッター装置の斜視図。
【図２】シャッターケースの断面図。
【図３】垂れ下がり抑制手段の分解斜視図。
【図４】垂れ下がり抑制手段によるケースカバーの支持構造の説明図。
【発明を実施するための形態】
【０００８】
図１に示すように、実施形態によるシャッター装置（開閉装置）１は、ケース（開閉体収容ケース）２、開閉機構と、シャッターカーテン（開閉体）４、ガイドレール５と、を備える。
【０００９】
ケース２は、建物３に形成された出入口等の開口部１３の上方に位置する間柱、梁等の取付部としての躯体に取付けられ、シャッターカーテン４を巻き取るシャフト６を回転可能に収容するとともに当該シャフト６に巻き取られるシャッターカーテン４を収容する収容空間を形成するように構成される。
即ち、ケース２は、建物３に形成された開口部１３の上方に設けられてシャッターカーテン４を収容する収容空間を備えた構成である。
【００１０】
ケース２内に設けられる開閉機構は、シャッターカーテン４を巻き取るシャフト６と、シャフト６の回転中心線６ａを回転中心として当該シャフト６を回転させる図外の回転作動機構とを備える。
回転作動機構は、手動式シャッター装置の場合は、シャフト６を巻き取り方向に回転させる図外のバネ及びバネに蓄えられた回転力をシャフト６に伝達するプーリーのような動力伝達手段などにより構成され、電動式シャッター装置の場合は、シャフト６を巻き取り方向及び繰り出し（巻き出し）方向に回転させる図外の電動機及び電動機の回転力をシャフト６に伝達する歯車伝達機構のような動力伝達手段などにより構成される。
【００１１】
ガイドレール５；５は、開口部１３を開閉するシャッターカーテン４の側端縁（左右の両端部）をガイドする部材であって、開口部１３の矩形の中心を基準とした左右の方向（開口幅方向）に互いに離隔して開口部１３の左端部；右端部にそれぞれ立設され、開口部１３の上下方向に延長するガイド溝５ａを備える。シャッターカーテン４におけるスラット部材１０ａの長手方向の両端部であるシャッターカーテン４の左右の側端縁が、ガイドレール５；５の相対向するガイド溝５ａ；５ａを介して、シャッターカーテン４の開閉方向である上下方向にガイドされることで、シャッターカーテン４が上下方向に移動して開口部１３を開閉する。即ち、シャッター装置１のシャッターカーテン４がシャフト６に巻き取られることで建物の開口部１３が開通し、シャッターカーテン４がシャフト６から繰り出される（巻き出される）ことで開口部１３が閉鎖される。
【００１２】
シャッターカーテン４は、スラット１０と水切１１と吊元１２とを備え、例えば、スチール等の金属により形成される。
スラット１０は、複数のスラット部材１０ａにより形成される。スラット部材１０ａは、シャフト６の回転中心線６ａに沿った方向に長い長尺部材により形成される。スラット１０は、複数のスラット部材１０ａがスラット部材１０ａの長手方向（スラット部材１０ａの長辺に沿った方向）と直交する方向に連続するように、隣り合うスラット部材１０ａ同士の長手方向の両端位置を揃えて長辺同士が図外の係合部によって互いに接続され、接続部分で折れ曲がり可能となった矩形板状に形成される。
水切１１がスラット１０におけるスラット部材１０ａの長手方向と直交する方向の一端に位置されるスラット部材１０ａの長辺に連結され、吊元１２がスラット１０におけるスラット部材１０ａの長手方向と直交する方向の他端に位置されるスラット部材１０ａの長辺に連結される。
水切１１は、シャフト６の回転中心線６ａに沿った方向に長い長尺部材により形成される。水切１１は、長手方向（水切１１の長辺に沿った方向）と直交する断面形状が逆Ｔ字形状の長尺部材により形成され、下端に位置する断面逆Ｔ字の横辺に相当する部分が水平部となる。水切１１の長手方向の長さはスラット部材１０ａの長手方向の長さよりも短く、水切１１の長手方向の中心位置とスラット部材１０ａの長手方向の中心位置とを揃えて水切１１の逆Ｔ字の垂直部の長辺とスラット１０の一端に位置されるスラット部材１０ａの長辺とが図外の係合部によって互いに接続される。
吊元１２は、スラット１０の他端に位置されるスラット部材１０ａの長辺に沿って当該長辺に間欠的に設けられる連結板であり、後述するように建物３の開口部１３の上方に位置する躯体に固定されたケース２におけるシャッターカーテン４の出口孔１４（図２参照）を経由してシャフト６に連結される。
【００１３】
図１；２に示すように、サッシ枠１５が建物３の開口部１３の開口縁の外壁側に設けられ、額縁１６が開口部１３の開口縁の内壁側に設けられ、サッシ枠１５の内側に引き戸１７が取付けられた構成の窓の外側にシャッター装置１を設ける場合を例にして説明する。
尚、ケース２を構成する各部材を説明するに際して、建物３の外壁に近づく方向を後方、建物３の外壁から建物３の外部に向けて離れる方向を前方と定義して説明する。
図１において、開口部１３の横幅（間口）寸法は４ｍ程度、開口部１３の高さ寸法は２５４４ｍｍ程度であり、１９はシャッター装置１の下枠である。
【００１４】
図２に示すように、ケース２は、開口部１３の開口縁の外壁側に設けられたサッシ枠１５の上方に設けられて壁下地を形成する間柱１８等の取付部としての躯体に取付けられる。壁下地は、所定間隔隔てて設けられた複数の間柱１８；１８…と、複数の間柱１８；１８…の表面に取付けられた下地板とを備えた構成である。外壁側の下地板は構造用合板１８ａ、内壁側の下地板は石膏ボード１８ｂ等が用いられる。構造用合板１８ａの表面により形成される外壁下地面１８ｆには、外装材や塗装等により外壁仕上げが行われて外壁１８ｇが形成される。石膏ボード１８ｂの表面には、クロスや内装仕上げ材等により内装仕上げが行われて内壁１８ｈが形成される。
【００１５】
図１〜図４を参照して、ケース２の構造の一例について説明する。
図１に示すように、ケース２は、前方から後方方向に下方方向から見上げた際に左側に位置する左側板２１と、前方から後方方向に下方方向から見上げた際に右側に位置する右側板２２と、ケースカバー２３と、垂れ下がり抑制手段２４とを備える。
【００１６】
左側板２１は、開口部１３の左端の上方に位置する躯体に取付けられる。
右側板２２は、開口部１３の右端の上方に位置する躯体に取付けられる。
シャフト６の左端側が図外の軸受を介して左側板２１に回転可能に支持され、シャフト６の右端側が図外の軸受を介して右側板２２に回転可能に支持されることによって、シャフト６がシャフト６の回転中心線６ａを回転中心として回転可能に構成され、シャフト６がシャッターカーテン４を巻き取る方向、及び、シャッターカーテン４を繰り出す方向（巻き出す方向）に回転するように構成される。
即ち、ケース２は、開口部１３の左端の上方に位置する躯体に取付けられてシャフト６の左端側を回転可能に支持する構成部品である左側板２１と、開口部１３の右端の上方に位置する躯体に取付けられてシャフト６の右端側を回転可能に支持する構成部品である右側板２２とを備える。
【００１７】
ケースカバー２３は、図２に示すように、シャフト６に巻き取られたシャッターカーテン４（図２の一点差線で示す状態のシャッターカーテン４）の上部４ｔ、前部４ｆ、下部４ｕを覆うように設けられて上端側が躯体に取付けられるとともに、左端部が左側板２１と連結され、かつ、右端部が右側板２２と連結される構成である。
図１；２に示すように、ケースカバー２３は、上枠３１と、左カバー３２と、右カバー３３と、連結カバー３４と、まぐさ３５とを備える。
【００１８】
上枠３１は、開口部１３の上縁に沿った方向に長く延長するとともに外壁下地面１８ｆから左カバー３２及び右カバー３３の前板部４１の方向に延長して当該前板部４１の方向に向けて傾斜して下る傾斜面を有した傾斜長尺板部３１ａと、当該傾斜長尺板部３１ａの一方の長辺縁に設けられた前記上端側として機能する躯体への取付部３６と、傾斜長尺板部３１ａの他方の長辺縁に設けられた接続部３７とを備えた構成である。
【００１９】
左カバー３２及び右カバー３３は、同一の構成であり、それぞれ、開口部１３の上縁に沿った方向に長く外壁下地面１８ｆと平行又はほぼ平行に位置される板面を備えた前板部４１と、前板部４１の一方の長辺縁より連続するように設けられた上板部４２と、前板部４１の他方の長辺縁より連続するように設けられた下板部４３とを備える。
具体的には、一枚の長尺板の一方の長辺縁側と他方の長辺縁側とがほぼ同一方向に延長するように折曲されて上板部４２と下板部４３とが形成され、当該上板部４２の板面と下板部４３の板面とが互いに向かい合うように構成される。
換言すれば、一枚の板を断面凹状に形成して、凹の底板部を前板部４１とし、凹の一方の立板部を上板部４２とし、凹の他方の立板部を下板部４３とした構成である。
尚、上板部４２は、例えば、前側上板部４２Ａと後側上板部４２Ｂとを備え、後側上板部４２Ｂの上面は後端から前方に向けて下るように傾斜する傾斜面に形成され、前側上板部４２Ａの上面は後側上板部４２Ｂの前端から前方に向けて下るように傾斜して前板部４１の上端まで延長する傾斜板面に形成される。
前側上板部４２Ａの傾斜面は後側上板部４２Ｂの傾斜面よりも急傾斜面に形成される。
【００２０】
連結カバー３４は、左カバー３２の右端部と右カバー３３の左端部とを連結するカバーであり、例えば、左カバー３２の右端面と右カバー３３の左端面とを互いに接触させた状態又は接近させた状態において、左カバー３２の右端における前板部４１、上板部４２、下板部４３の外表面と右カバー３３の左端部における前板部４１、上板部４２、下板部４３の外表面とに跨るように配置され、図外のねじ等の取付手段によって左カバー３２の右端部及び右カバー３３の左端部に取付けられることによって左カバー３２と右カバー３３とを連結する構成である。
換言すれば、連結カバー３４は、一枚の長尺板を断面凹状に形成して、凹の底板部を前板部とし、凹の一方の立板部を上板部とし、凹の他方の立板部を下板部とした構成である。当該連結カバー３４は、連結カバー３４の前板部の板面と左カバー３２及び右カバー３３の前板部４１の表面とを接触させ、連結カバー３４の上板部の板面と左カバー３２及び右カバー３３の上板部４２の表面とを接触させ、連結カバー３４の下板部の板面と左カバー３２及び右カバー３３の下板部４３の表面とを接触させた状態で、図外のねじ等の取付手段によって左カバー３２の右端部及び右カバー３３の左端部に取付けられる。
【００２１】
従って、取付部３６に形成された貫通孔３６ａにねじ３８等の取付手段を通して躯体に締結することにより取付けられた上枠３１の接続部３７に、左カバー３２、右カバー３３、連結カバー３４の上板部４２の上端側４２ｔが接続される。これにより、左カバー３２及び右カバー３３の上板部４２がシャフト６に巻き取られたシャッターカーテン４の上部４ｔを覆うように設けられ、左カバー３２及び右カバー３３の前板部４１がシャフト６に巻き取られたシャッターカーテン４の前部４ｆを覆うように設けられ、左カバー３２及び右カバー３３の下板部４３がシャフト６に巻き取られたシャッターカーテン４の下部４ｕを覆うように設けられる。この場合、例えば、左カバー３２及び右カバー３３の上板部４２の上面が上枠３１の傾斜長尺板部３１ａに連続する傾斜面を形成し、左カバー３２及び右カバー３３の前板部４１の前面が垂直面を形成し、左カバー３２及び右カバー３３の下板部４３の下面が水平面を形成する。
【００２２】
即ち、実施形態では、シャフト６に巻き取られたシャッターカーテン４の上部４ｔを覆うケースカバー２３の上板部は、例えば、上枠３１、左カバー３２及び右カバー３３の上板部４２、及び、連結カバー３４の上板部により構成される。
また、シャフト６に巻き取られたシャッターカーテン４の前部４ｆを覆うケースカバー２３の前板部は、左カバー３２、右カバー３３の前板部４２、及び、連結カバー３４の前板部により構成される。
また、シャフト６に巻き取られたシャッターカーテン４の下部４ｕを覆うケースカバー２３の下板部は、左カバー３２、右カバー３３の下板部４３、及び、連結カバー３４の下板部により構成される。
【００２３】
まぐさ３５は、開口部１３の上縁に沿った方向に長く延長するとともに外壁下地面１８ｆから左カバー３２及び右カバー３３の前板部４１の方向に延長する長尺水平面を有した長尺板部３５ａと、当該長尺板部３５ａの一方の長辺縁に設けられた躯体への取付部３５ｂとを備えた構成である。当該長尺板部３５ａの他方の長辺側縁と左カバー３２及び右カバー３３の下板部４３の端縁との間に形成された開口によりケース２におけるシャッターカーテン４の出入口１４が構成される。そして、当該シャッターカーテン４の出入口１４の左右の端部に左右のガイドレール５；５の上端部が対応するようにガイドレール５；５が設けられる。
【００２４】
上枠３１、左カバー３２、まぐさ３５の左端部と左側板２１の外周縁側とが連結され、かつ、上枠３１、右カバー３３、まぐさ３５の右端部と右側板２２の外周縁側とが連結されたことによって、上枠３１、左カバー３２、まぐさ３５の左端と外壁下地面１８ｆとで囲まれたケースカバー２３の左端開口が左側板２１で塞がれ、かつ、上枠３１、右カバー３３、まぐさ３５の右端と外壁下地面１８ｆとで囲まれたケースカバー２３の右端開口が右側板２２で塞がれたケース２が構成される。
【００２５】
例えば、図１に示すように、左側板２１の外周縁２１ｅには、当該外周縁２１ｅより右側板２２に近づく方向に延長するように設けられた接続部を備える。当該接続部は、躯体ヘの取付部となる図外の躯体接続部と、ケースカバー２３の左端開口端部が接続されるケースカバー左接続部２１ｆとを備える。
同様に、右側板２２の外周縁２２ｅには、当該外周縁２２ｅより左側板２１に近づく方向に延長するように設けられた接続部を備える。当該接続部は、躯体ヘの取付部となる図外の躯体接続部と、ケースカバー２３の右端開口端部が接続されるケースカバー右接続部２２ｆとを備える。
ケースカバー左接続部２１ｆの延長方向先端側は外周縁２１ｅ側よりも一段低い図外の段差面に形成され、この段差面上にケースカバー２３の左端開口端部が載置されてケースカバー２３の表面とケースカバー左接続部２１ｆの外周縁２１ｅ側の表面とが同一平面上に位置されるように構成されて、前記段差面とケースカバー２３の左端開口端部とが図外のねじ等の連結手段で連結される。
同様に、ケースカバー右接続部２２ｆの延長方向先端側は外周縁２２ｅ側よりも一段低い図外の段差面に形成され、この段差面上にケースカバー２３の右端開口端部が載置されてケースカバー２３の表面とケースカバー右接続部２２ｆの外周縁２２ｅ側の表面とが同一平面上に位置されるように構成されて、前記段差面とケースカバー２３の右端開口端部とが図外のねじ等の連結手段で連結される。
よって、左側板２１の外周縁２１ｅ及び右側板２２の外周縁２２ｅは、ケース２を躯体に設置した場合の設計上のケースカバー２３の表面と同一面上に位置される。
【００２６】
垂れ下がり抑制手段２４は、一端側部材５１と、他端側部材５２と、これら一端側部材５１と他端側部材５２とを連結する連結手段５３とを備える。当該連結手段５３は、垂れ下がり抑制手段２４が躯体に取付けられた場合の躯体（取付部）の表面としての外壁下地面１８ｆから他端側部材５２の他端５２ｔまでの長さを変更可能なように一端側部材５１の他端側部材５２とを連結する手段である。
【００２７】
一端側部材５１は、開口部１３の上方に位置する躯体（取付部）に取付けられる取付部位５５と、当該躯体に取付けられた取付部位５５の上端よりケースカバー２３の前板部４１に近づく方向（ケースカバー２３の上板部の前方に近づく方向）に延長する他端側部材連結部５６とを備える。
一端側部材５１は、例えば、金属性の長尺板が長手方向の中央部で折曲されてＬ字状に形成された構成であり、板面が互いに直交する一方の板部が躯体に取付けられる取付部位５５に形成され、板面が互いに直交する他方の板部が他端側部材５２と連結される他端側部材連結部５６に形成される。
取付部位５５には躯体への取付用の貫通孔５７が形成され、他端側部材連結部５６には他端側部材５２との連結用の貫通孔である長孔５８が形成されている。
他端側部材５２は、連結手段５３により一端側部材５１の他端側部材連結部５６と連結される一端側部材連結部６１と、一端側部材連結部６１よりケースカバー２３の前板部４１に近づく方向に延長してケースカバー２３の上板部の下面６０を支持するケースカバー支持部６２とを備える。
他端側部材５２は、例えば、金属性の長尺な平板により形成され、当該長尺な平板を貫通する調整用のねじ孔５９が当該長尺な平板の長手方向に沿って所定間隔を隔てて複数個形成され、長尺な平板の一端側が一端側部材連結部６１として機能し、長尺な平板の他端側がケースカバー支持部６２として機能するように構成される。
【００２８】
垂れ下がり抑制手段２４は、一端側部材５１の他端側部材連結部５６の板面上に他端側部材５２を載置して長孔５８とねじ孔５９とを合致させた状態で、ねじ７０を長孔５８に通してねじ孔５９に締結することで、Ｌ字状に形成された構成であり、ねじ７０を締結させるねじ孔５９を変更することで、垂れ下がり抑制手段２４が躯体に取付けられた場合の躯体の表面としての外壁下地面１８ｆから他端側部材５２の他端５２ｔまでの長さを変更できるように構成されたものである。
以上によれば長孔５８と複数のねじ孔とねじ７０とにより連結手段５３が構成される。
尚、互いに隣り合うねじ孔５９とねじ孔５９との間隔よりも長孔の延長方向の長さを長くすることによって垂れ下がり抑制手段２４が躯体に取付けられた場合の外壁下地面１８ｆから他端側部材５２の他端５２ｔまでの長さを微調整することが可能となる。
また、一端側部材５１の取付部位５５が躯体に取付けられた垂れ下がり抑制手段２４の他端側部材５２の他端側先端は、ケースカバー２３の上板部の後方先端とケースカバー２３の上板部の前方先端との間に位置されていればよい。具体的には、躯体に取付けられた垂れ下がり抑制手段２４の前後方向の長さは、上ケースカバーの前後方向の長さの半分以上であることが好ましく、垂れ下がり抑制手段２４の他端側部材５２の他端側先端がケースカバー２３の上板部の前方先端に近い位置に位置するように構成されることが好ましい。また、シャッターカーテン４がシャフト６に巻かれる場合には、躯体に取付けられた垂れ下がり抑制手段２４の他端側先端が、シャフト６の回転中心よりもケースカバー２３の上板部の前方先端側に位置するように構成されることが好ましい（図２参照）。この場合において、シャフト６に巻き取られたシャッターカーテン４との干渉を避けるため、最大径に巻取られたシャッターカーテン４の上端よりも上方に垂れ下がり抑制手段２４が位置するように構成する。尚、当然であるが、シャッターカーテン４がシャフト６に巻き取られるか否かにかかわらず、垂れ下がり抑制手段２４をシャッターカーテン４の開閉に際し干渉しないように位置させる等により、シャッターカーテン４の開閉動作に支障のないように構成する。
【００２９】
そして、垂れ下がり抑制手段２４の一端側の取付部位５５が開口部１３の上方に位置する躯体に取付けられ、垂れ下がり抑制手段２４の他端５２ｔ側が、取付部位５５の上端からシャフト６に巻き取られたシャッターカーテン４の前部４ｆを覆うケースカバー２３の前板部４１に近づく方向に延長するケースカバー支持部６２に構成されて、当該ケースカバー支持部６２がシャフト６に巻き取られたシャッターカーテン４の上部４ｔを覆うケースカバー２３の上板部の下面６０に押圧されて弾性変形した状態に設けられて当該下面６０を支持するように構成される。
【００３０】
次に、躯体に対するケース２の取付方法の一例を説明する。
開口部１３の左端の上方に位置する躯体に左側板２１を取付けるとともに、開口部１３の右端の上方に位置する躯体に右側板２２を取付ける。シャフト６の左端側を図外の軸受を介して左側板２１に取付け、かつ、シャフト６の右端側を図外の軸受を介して右側板に取付ける。これにより、シャフト６がシャフト６の回転中心線６ａを回転中心として回転可能なように左側板２１及び右側板２２に取付けられる。
開口部１３の左開口縁と右開口縁との間の中央位置の真上に位置される躯体に垂れ下がり抑制手段２４を固定する。
この場合、垂れ下がり抑制手段２４が躯体に取付けられた場合の他端側部材５２の他端５２ｔが、ケース２を躯体に取付けた場合の設計上におけるケースカバー２３の上板部の上面よりも上方に位置されるようにする。例えば、図４（ａ）に示すように、垂れ下がり抑制手段２４が躯体に取付けられた場合の他端側部材５２の他端５２ｔが、後側上板部４２Ｂの上面の最下位置４２ａよりも上方に位置されるようにしたり、前側上板部４２Ａの上面の最下位置よりも上方に位置されるようにする。
左側板２１の外周縁２１ｅ及び右側板２２の外周縁２２ｅは、ケース２が躯体に設置される場合の設計上のケースカバー２３の表面と同一面上に位置されるので、ケース２を取付けた場合の設計上のケースカバー２３の上板部の上面と当該上面に対応する左側板２１の外周縁２１ｅの上縁及び右側板２２の外周縁２２ｅの上縁とが同一面上に位置される。
従って、垂れ下がり抑制手段２４が躯体に取付けられた場合の外壁下地面１８ｆから他端側部材５２の他端５２ｔまでの長さを調整するに際しては、左側板２１又は右側板２２に近い位置の外壁下地面１８ｆと垂れ下がり抑制手段２４の取付部位５５とを面接触させた状態で、他端側部材５２の他端５２ｔが、左側板２１の外周縁の上縁又は右側板２２の外周縁の上縁よりも上方に位置されるように、垂れ下がり抑制手段２４が躯体に取付けられた場合の外壁下地面１８ｆから他端側部材５２の他端５２ｔまでの長さを調整した後に、開口部１３の左右間の中央部の上方に位置する外壁下地面１８ｆと垂れ下がり抑制手段２４の取付部位５５とを面接触させた状態で取付部位５５をねじ７１等の固定手段で取付部としての躯体に固定すればよい。
この後、ケースカバー２３を、躯体、左側板２１、右側板２２に接続することによって、垂れ下がり抑制手段２４のケースカバー支持部６２がケース２の上板部の下面６０に押圧されて弾性変形した状態に設けられて当該下面６０を支持するように構成される。
尚、垂れ下がり抑制手段２４は、ケースカバー２３の上板部の左右方向（左開口縁と右開口縁との間）の中央位置のような、なるべく中央寄りに固定されることが好ましい。また、左右方向に配置する垂れ下がり抑制手段２４の個数や配置位置は任意であるが、複数配置するのであれば左右対称や略左右対称に配置することが好ましい。
【００３１】
尚、例えば予め上枠３１の接続部３７に左カバー３２、右カバー３３、接続カバー３４の上端側接続部４３ｔを接続することによって当該上枠３１と左カバー３２と右カバー３３と接続カバー３４とが組み付けられたカバー体を構成し、当該カバー体の上端側を躯体に取付け、当該カバー体の左端部を左側板２１に接続するとともに当該カバー体の右端部を右側板２２に接続するようにすればよい。
この場合、図２に拡大して示したように、上枠３１の接続部３７を係合溝部に構成し、左カバー３２、右カバー３３、接続カバー３４の上端側接続部４３ｔを当該係合溝部に係合する係合片に構成し、当該係合片と係合溝部とを係合させることで、上枠３１と左カバー３２、右カバー３３、接続カバー３４とを接続する構成とすればよい。
この場合、係合溝部は、係合片と係合して左カバー３２及び右カバー３３の前方への移動を規制する規制片と、係合片と係合して左カバー３２及び右カバー３３の後方への移動を規制する規制片と、係合片と係合して左カバー３２及び右カバー３３の上方への移動を規制する規制片と、係合片と係合して左カバー３２及び右カバー３３の下方への移動を規制する規制片とで囲まれた構成として、係合片を前方、後方、上方、下方から係合溝部に挿入できないような構成し、係合片を規制片で囲まれた係合溝部の空間内に当該空間の左右のいずれかの開口側から挿入するようにする構成とすれば、ねじ等の固定手段を用いることなく、上枠３１と左カバー３２、右カバー３３、接続カバー３４を接続でき、しかも、上枠３１と左カバー３２、右カバー３３、接続カバー３４との境界が線となって目視されるだけとなるので、意匠性に優れた構成となる。
このように、別々の部材である上枠３１、左カバー３２、右カバー３３、接続カバー３４を接続する構成とすれば、例えば、支持部となる上枠３１を剛性の高い金属板を用いて形成し、左カバー３２、右カバー３３を上枠３１よりも剛性の低い板厚の薄い金属板を用いて形成することが可能となるので、上枠３１とカバーとが一体に形成されて構成されたケースカバーと比べて省コスト化が図れる。
【００３２】
そして、開口部１３の外壁側上縁よりも上方位置でかつ垂れ下がり抑制手段２４の取付部位５５が取付けられた位置よりも下方に位置する外壁下地面１８ｆにおいて、まぐさ３５の取付部３５ｂを開口部１３の上縁に対して平行となるように位置させて、まぐさ３５の長尺板部３５ａが取付部３５ｂの下端より外壁下地面１８ｆから離れる方向に延長するように取付部３５ｂと外壁下地面１８ｆとを接触させた状態で、取付部３５ｂの貫通孔３５ｃに取付手段としてのねじ３５ｄを挿入してねじ３５ｄを躯体に締結することで、まぐさ３５が躯体に固定される。
【００３３】
実施形態１によれば、垂れ下がり抑制手段２４のケースカバー支持部６２がシャフト６に巻き取られたシャッターカーテン４の上部４ｔを覆うケースカバー２３の上板部の下面６０に押圧されて弾性変形した状態に設けられて当該下面６０を支持するように構成されたので、図４（ｂ）に示すように、ケースカバー２３の後側上板部４２Ｂが垂れ下がり抑制手段２４の他端側であるケースカバー支持部６２の弾性力によって常に上方に付勢された状態となる。従って、垂れ下がり抑制手段２４の他端側をケースカバー２３の上板部の下面６０に押圧されて弾性変形した状態とするという簡単な構成によって、躯体に取付けられたケース２の左右間の中央部の垂れ下がりを抑制できるとともに、従来のような骨組構成体や骨組構成体の上下の横桟を連結する連結部材を設ける必要が無くなるので、ケース２の簡素化、及び、ケース２の小型化が図れるようになる。
【００３４】
実施形態１によれば、ケースカバー２３を、上枠３１と左右のカバー３２；３３とに分けて構成したので、ケースカバーの省コスト化が可能となる。
また、ケースカバー２３を左右のカバー３２；３３に分割したので、ケースカバー２３の運搬、取り扱いが容易となり、施工性が向上する。
【００３５】
実施形態１によれば、垂れ下がり抑制手段２４を、別部材である一端側部材５１と他端側部材５２とを連結して構成したので、例えば、ケースカバー２３の荷重による応力が最も加わる部材である一端側部材５１を剛性の高い金属板を用いて形成し、弾性変形させる他端側部材５２を一端側部材５１よりも剛性の低い板厚の薄い金属板を用いて形成することが可能となるので、垂れ下がり抑制手段２４を一枚の板材で形成する場合と比べて省コスト化が図れる。また、ケースカバー２３の上板部の下面６０と接触する他端側部材５２を形成する板材の厚さをケースカバー２３の上板部を形成する板材の厚さにあわせることができるようになるので、他端側部材５２がケースカバー２３の上板部を押圧して上板部の上面が隆起するようなことを防止できるようになる。
【００３６】
実施形態１によれば、垂れ下がり抑制手段２４は、当該垂れ下がり抑制手段２４が躯体に取付けられた場合の躯体の表面としての外壁下地面１８ｆから他端側部材５２の他端５２ｔまでの長さを変更可能なように一端側部材５１と他端側部材５２とを連結する連結手段５３を備えたので、１つの垂れ下がり抑制手段２４で、様々な大きさのケースカバー２３に対応して壁下地面１８ａから他端側部材５２の他端５２ｔまでの長さを変更できるようになり、１つの垂れ下がり抑制手段２４で様々な大きさのケースカバー２３の垂れ下がりを抑制できるようになる。
【００３７】
実施形態２
垂れ下がり抑制手段２４としては、１つの長尺板が長手方向の中央部で折曲されてＬ字状に形成された構成のものを用いても良い。即ち、板面が互いに直交する一方の板部が躯体に取付けられる躯体取付部に形成され、他方の板部がケースカバー２３の上板部の下面６０に押圧されて弾性変形した状態に設けられてケースカバー２３の上板部の下面６０を下から支持する支持部に形成された構成のものを用いても良い。
【００３８】
尚、垂れ下がり抑制手段２４は、別部材である一端側部材５１と他端側部材５２とが溶接や接着手段等の連結手段で連結された構成であってもよい。
【００３９】
また、上記では、ケースカバー２３として、上枠３１と、左カバー３２と、右カバー３３とが別々の部材で構成されたものを例示したが、本発明の垂れ下がり抑制手段２４は、上枠３１と左カバー３２と右カバー３３とが１つの部材により形成されたカバー構成のケースカバーの垂れ下がり抑制にも適用可能である。
【００４０】
また、上記では、長孔５８と複数のねじ孔とねじ７０とにより連結手段５３を構成した例を示したが、一端側部材５１と他端側部材５２とにそれぞれ形成された貫通孔とこれら貫通孔に通されるボルトと当該ボルトに締結されるナットとにより構成された連結手段であってもよい。
【００４１】
また、開口部１３の横幅（間口）寸法が大きい場合には、垂れ下がり抑制手段２４をケース２の左右間の中央部に１つだけ設けるのではなく、例えば、ケース２の左右間において複数個の垂れ下がり抑制手段２４；２４…を左右方向に等間隔で配置するようにすればよい。
【００４２】
本発明の適用対象となる開閉装置の開閉体をシャッターカーテン４とした場合、その構成態様としては、所謂スラットを上下方向に複数連設した態様だけではなく、パイプ、パネル、シート状物又はネット状物を単数もしくは複数連設して成る態様のシャッターカーテン、あるいは、スラット、パネル、パイプ、シート状物、ネット状物を適宜に組合せたシャッターカーテンでもよい。所謂、オーバヘッドタイプのシャッターカーテンにも適用できる。
即ち、開閉体は巻き取られるもののみでなく、例えば、チェーン等により複数のパネルが吊持された構成のパネルシャッターのように、駆動軸が左右側板に支持され、各パネル等の開閉体構成部材が折り畳まれたり並べられたりして収容されるものでもよい。
【００４３】
また、本発明の開閉体収容ケースのケースカバーは、収容空間に収容された開閉体の上部を覆う上板部を有した構成であればよい。つまり、本発明の対象となるケースカバーは、収容空間に収容された開閉体のほぼ全てを覆うことまでは要求しておらず、例えば、開閉体の下部の大部分を覆っていないような構成のケースカバーであっても良い。
また、開閉体収容ケースのケースカバー、垂れ下がり抑制手段、左側板、右側板が取付けられる取付部は、典型的には建物の躯体であるが、例えば、単なる枠部材のようなものであっても良い。即ち、取付部は、開閉体収容ケース及び開閉体を支持できる剛性を有する部位であればよい。
【００４４】
本発明は、ドア、雨戸を含む引戸、サッシ窓、ブラインド、門扉、ゲート、スライディングウォール装置、ロールスクリーン装置、オーニング装置、防災ドア装置、防煙垂れ幕や防煙たれ壁などの開閉装置のシャッターケースに適用可能である。
【符号の説明】
【００４５】
１  シャッター装置（開閉装置）、２  開閉体収容ケース、３  建物、
４  シャッターカーテン（開閉体）、１３  開口部、２３  ケースカバー、
２４  垂れ下がり抑制手段、５１  一端側部材、５２  他端側部材、
５２ｔ  他端側部材の他端、５３  連結手段、５５  取付部位、５６  他端側部材連結部、６０  ケースカバーの上板部の下面、６１  一端側部材連結部、
６２  ケースカバー支持部。
【図１】
2015048679.tif 000003
【図２】
2015048679.tif 000004
【図３】
2015048679.tif 000005
【図４】
2015048679.tif 000006